(57)【要約】      （修正有）【課題】本体と蓄電池を左右に分けて取付け、ヘルメットに掛かる重さが分散され、首への負担が軽減し長時間の使用でも疲れない無線機、情報端末機を提供する。【解決手段】無線機の本体１と蓄電池２を分離し、本体にマイク４、スピーカー３を設け接続線を無くし、ヘルメット１０の左右に無線機の本体と蓄電池を分けて取付け、ヘルメットに掛かる重さを左右に分散し首への負担を減らし、蓄電池からの電源線５を作業に支障の無いヘルメット後方に配置した。【選択図】図１
0003231461.tif 000002
【実用新案登録請求の範囲】
【請求項１】
無線機、情報端末機の本体と蓄電池を分離し、本体にスピーカー、マイクを設け、ヘルメットの左右に本体と蓄電池を分けて取り付け、ヘルメットに掛かる重さを左右に分散し、接続線を無くした事を特徴とする無線機、情報端末機。
【請求項２】
無線機、情報端末機の本体と蓄電池を分離し、支持キャップの左右に本体と蓄電池を分けて取り付け頭に被せて使用する、請求項１記載の無線機、情報端末機。
【請求項３】
無線機、情報端末機の本体と蓄電池を分離し、支持キャップの左右に本体と蓄電池を分けて取り付けヘルメットに被せた、請求項２記載の無線機、情報端末機。
【考案の詳細な説明】
【技術分野】
【０００１】  本考案は、ヘルメットに取付けて使用する無線機、情報端末機に関するものである。
【背景技術】
【０００２】  図２、図３に示すように従来の無線機、情報端末機は本体を胸ポケット、腰のベルトに差して、接続線を用いてヘルメットに取付けてあるマイク、スピーカーと繋がっている。無線機を使う合図者、玉掛者は実際の作業者であり、工具を使う作業、玉掛作業、組付けの確認と頻繁に動きが多い職種であり、常に顔、身体の前に位置する接続線は作業の妨げになっている。【０００３】  狭い場所で機器の据付、試運転、点検調整を行う時、離れた場所で実際の機器が動き、制御盤で監視、表示されている。緊急事態に行う配線の変更、再操作のスイッチの入り、切りは失敗が許されないので二重、三重の再確認が必要であり作業員を補助する情報端末機が正常に機能することが望まれている。
【先行技術文献】
【０００４】
【特許文献１】実用新案登録  第３０５４１８２号
【特許文献２】実開  昭６１−１８３９１８
【特許文献２】実開  平５−９３１５１
【考案の概要】
【０００５】  携帯して使用する無線機、情報端末機の本体１と蓄電池２を分離し、本体にマイク４、スピーカー３を設け、ヘルメット１０の左右に本体と蓄電池を分けて取付け、ヘルメットに掛かる重さを左右に分散し、蓄電池から本体への電源線５をヘルメットの後方に配置し、接続線を無くした、無線機、情報端末機。
【考案が解決しようとする課題】
【０００６】    特許文献１に示した無線機は、接続線がヘルメットから胸ポケット、腰ベルトまで繋がっているので無線機を装着している合図者、玉掛者の作業効率が低下し、誤って接続線を損傷しクレーンとの交信が途絶え、作業に支障があった。【０００７】    特許文献２に示した無線機は、ヘルメットの内部に機器を組み込むことは機器の保護には最適の場所であるが、身を守るヘルメットの安全規格、安全基準を満たすのは容易な事ではない。
【課題を解決するための手段】
【０００８】  本考案は従来の問題点に着目し、無線機、情報端末機の本体と蓄電池を分離し、本体にスピーカー、マイクを設け接続線を無くし、本体と蓄電池をヘルメットの左右に分けて取付けヘルメットに掛かる重さを分散し、蓄電池から本体への電源線をヘルメット後方に配置した無線機、情報端末機。
【考案の効果】
【０００９】  無線機、情報端末機の本体と蓄電池を左右に分けて取付け、ヘルメットに掛かる重さが分散され、首への負担が軽減し長時間の使用でも疲れない。【００１０】  無線機を使う玉掛者、合図者が作業中に工具、機器に接続線が接触する事が無いので、接続線の損傷、接続線の引っかかりによる本体の落下を防げる。【００１１】  無線機、情報端末機を使って狭い場所で行う作業の障害となっている、顔、胸の前に位置する接続線が無く、作業に集中が出来て作業効率が良くなる。
【図面の簡単な説明】
【００１２】
【図１】図１は無線機の実施方法を示した説明図である。一部想像図。（実施例１）
【図２】図２は従来の無線機の使用する姿図。
【図３】図３は従来の無線機の使用する姿図。
【図４】図４は頭へ支持キャップ装着図。（実施例２）
【図５】図５は支持キャップをヘルメットに装着した図。（実施例３）
【図６】図６は支持キャップをヘルメットに装着した断面図。（実施例３）
【考案を実施するための形態】
【実施例１】
【００１３】  図１に示すように無線機、情報端末機の本体１と蓄電池２を分離し、本体１にスピーカー３とマイク４を設け、ヘルメット１０の左右に分けてクリップ７、８で取付け、ヘルメット１０の後方に本体１と蓄電池２を繋ぐ電源線５を配置した無線機、情報端末機であり接続線を無くし、作業に支障の無い構造とした。
【実施例２】
【００１４】  図４に示すように情報端末機の本体１と蓄電池２を分離し、伸縮する材料で作られ頭に被る支持キャップ１２の左右に分けて取付け、接続線を無くし、首の負担となる重さを左右に分散し、本体１に集音マイク、カメラを設けた情報端末機であり、蓄電池２と本体１を繋ぐ電源線５は支持キャップ１２後方に配置し、作業に支障が無く、長時間の使用でも首への負担を軽減した構造とした。
【実施例３】
【００１５】  図５、図６に示すように無線機、情報端末機の本体１と蓄電池２を分離し、伸縮する材料で作られた支持キャップ１３をヘルメット１０に被せた無線機、情報端末機であり、支持キャップ１３の伸縮する力でヘルメットにセットするので軽量化となり首への負担を軽減した構造とした。
【産業上の利用可能性】
【００１６】  野外、現場、高所で使う時、接続線が無いので作業への支障が無く、水の侵入、接続線のトラブルが減らせる無線機、情報端末機。【００１７】  狭い場所で機器の点検、調整を行う時、ヘルメット幅より飛び出しが少なく、作業姿勢を妨げ無い、長時間の使用が可能な、無線機、情報端末機。
【符号の説明】
【００１８】１、本体                  ２、蓄電池            ３、スピーカー
４、マイク                ５、電源線            ６、スイッチ
７、クリップ              ８、クリップ          ９、配線留め
１０、ヘルメット          １１、緩衝材          １２、支持キャップ
１３、支持キャップ        １４、留め具          １５、ヘッドセット
２１、無線機              ２２、イヤホーン      ２３、接続線
２４、接続線              ３１、情報端末機      ３２、カメラ
３３、集音マイク
【図１】
0003231461.tif 000003
【図２】
0003231461.tif 000004
【図３】
0003231461.tif 000005
【図４】
0003231461.tif 000006
【図５】
0003231461.tif 000007
【図６】
0003231461.tif 000008
【手続補正書】
【提出日】令和2年12月24日(2020.12.24)
【手続補正１】
【補正対象書類名】実用新案登録請求の範囲
【補正対象項目名】全文
【補正方法】変更
【補正の内容】
【実用新案登録請求の範囲】
【請求項１】
無線機、情報端末機の本体と蓄電池を分離し、本体にスピーカー、マイクを設け、ヘルメットの左右に本体と蓄電池を分けて取り付け、ヘルメットに掛かる重さを左右に分散し、接続線を無くした事を特徴とする無線機、情報端末機。